(57)【要約】      （修正有）【課題】室内側への漏水を防ぐことができる壁構造、窓枠用アタッチメント及び窓枠施工方法を提供する。【解決手段】壁構造１は、開口部２が形成された少なくとも一つの壁構成部材３と、開口部に沿って設けられるとともに、一対の縦枠と上枠及び下枠１４とを有する窓枠と、少なくとも開口部を構成する壁構造の内周面の底辺に取り付けられ、窓枠が連結される窓枠用アタッチメント２０と、を備え、窓枠用アタッチメントには、室外と連通する排水経路２２が形成され、窓枠用アタッチメントの下部と、窓枠用アタッチメントの長手方向の第一端及び第二端の両端が、壁構成部材に埋設されている。【選択図】図２
2020041386.tif 000002
【特許請求の範囲】
【請求項１】
開口部が形成された少なくとも一つの壁構成部材と、
前記開口部に沿って設けられるとともに、一対の縦枠と上枠及び下枠とを有する窓枠と、
少なくとも前記開口部を構成する前記壁構造の内周面の底辺に取り付けられ、前記窓枠が連結される窓枠用アタッチメントと、を備え、
前記窓枠用アタッチメントには、室外と連通する排水経路が形成され、
前記窓枠用アタッチメントの下部と、前記窓枠用アタッチメントの長手方向の第一端及び第二端の両端が、前記壁構成部材に埋設されていることを特徴とする
壁構造。
【請求項２】
前記窓枠用アタッチメントは内部空間を有する断面筒状であり、
前記窓枠用アタッチメントの前記第一端及び前記第二端それぞれに設けられた封止部材をさらに備え、
前記封止部材は、前記窓枠用アタッチメントの前記第一端及び前記第二端を覆うとともに前記内部空間を封止する請求項１に記載の壁構造。
【請求項３】
前記窓枠用アタッチメントには、前記窓枠の左右方向に沿って設けられるとともに、前記下枠と係合される係合部が設けられ、
前記縦枠は、前記左右方向に直交する面を有するとともに、対向する縦枠側に位置する板部を有し、
前記縦枠を上下方向から見たとき、前記板部が前記係合部と前記窓枠用アタッチメントの排水孔との間に位置する
請求項１または請求項２に記載の壁構造。
【請求項４】
前記排水経路は、前記窓枠用アタッチメントのうち内部空間を構成する辺の底面が室外側に向かって下方に傾斜して形成された流路である
請求項１から請求項３のいずれか１項に記載の壁構造。
【請求項５】
前記一対の縦枠が前記壁構成部材の前記開口部に沿って設けられ、
前記一対の縦枠の下端面が前記窓枠用アタッチメントに当接している
請求項１から請求項４のいずれか１項に記載の壁構造。
【請求項６】
前記下枠には、前記室外と連通する下枠用排水経路が形成されている
請求項１から請求項５のいずれか１項に記載の壁構造。
【請求項７】
壁構成部材の開口部と窓枠との間に設置される窓枠用アタッチメントであって、
前記壁構成部材の内部に埋設されるアンカー部と、
前記窓枠と前記窓枠用アタッチメントとの間に入り込んだ水を室外へ排水する排水経路とを備え、
前記窓枠用アタッチメントの第一端及び第二端の両端が前記壁構成部材に埋設される窓枠用アタッチメント。
【請求項８】
請求項７に記載の窓枠用アタッチメントを、前記壁構成部材に埋設するアタッチメント埋設工程と、
前記壁構成部材に埋設された前記窓枠用アタッチメントの上面に、前記窓枠を構成する下枠を固定する下枠固定工程と、
を含む窓枠施工方法。
【請求項９】
前記壁構成部材がプレキャストコンクリート製のパネルであって、
前記アタッチメント埋設工程は、前記パネルを成形する際に、前記窓枠用アタッチメントの前記アンカー部と前記両端とを前記パネル内に埋設させることを含む
請求項８に記載の窓枠施工方法。
【請求項１０】
前記窓枠用アタッチメントが係合部を有し、
前記下枠固定工程は、前記係合部に前記下枠を係合させることを含む
請求項８または請求項９に記載の窓枠施工方法。
【発明の詳細な説明】
【技術分野】
【０００１】
本発明は、壁構造、窓枠用アタッチメント及び窓枠施工方法に関する。
【背景技術】
【０００２】
従来、ガラスパネルの設置作業性を高めた取付装置が提案されている（例えば、下記特許文献１参照）。特許文献１に記載の取付装置は、躯体に支持される上側の外壁パネルと、躯体に支持される下側の外壁パネルと、上側の外壁パネルと下側の外壁パネルとの間に配置されたガラスパネルとから構成されている。下側の外壁パネルには、支持枠が敷設されている。これにより、ガラスパネルの下部を下側の外壁パネルに噛み合わせることにより、ガラスパネルの横方向の位置決めが行われる。
【先行技術文献】
【特許文献】
【０００３】
【特許文献１】特開平５−２２２７９１号公報
【発明の概要】
【発明が解決しようとする課題】
【０００４】
ところで、特許文献１に記載の取付装置は、支持枠の下面のみが下側の外壁パネルに埋設されているため、支持枠と下側の外壁パネルとの間から室内側への漏水は防ぐことができる。しかしながら、支持枠が延在する左右方向における支持枠の左右両側の端面と外壁パネルとの間から水が室内側に浸入し、漏水する可能性がある。
【０００５】
本発明は、上記事情に鑑みてなされたものであり、室内側への漏水を防ぐことができる壁構造、窓枠用アタッチメント及び窓枠施工方法の提供を目的とする。
【課題を解決するための手段】
【０００６】
本発明の第一態様において、壁構造は、開口部が形成された少なくとも一つの壁構成部材と、前記開口部に沿って設けられるとともに、一対の縦枠と上枠及び下枠とを有する窓枠と、少なくとも前記開口部を構成する前記壁構造の内周面の底辺に取り付けられ、前記窓枠が連結される窓枠用アタッチメントと、を備え、前記窓枠用アタッチメントには、室外と連通する排水経路が形成され、前記窓枠用アタッチメントの下部と、前記窓枠用アタッチメントの長手方向の第一端及び第二端の両端が、前記壁構成部材に埋設されている。
【０００７】
本発明の第二態様において、壁構造は、前記窓枠用アタッチメントは内部空間を有する断面筒状であり、前記窓枠用アタッチメントの前記第一端及び前記第二端それぞれに設けられた封止部材をさらに備え、前記封止部材は、前記窓枠用アタッチメントの前記第一端及び前記第二端を覆うとともに前記内部空間を封止してもよい。
【０００８】
本発明の第三態様において、前記窓枠用アタッチメントには、前記窓枠の左右方向に沿って設けられるとともに、前記下枠と係合される係合部が設けられ、前記縦枠は、前記左右方向に直交する面を有するとともに、対向する縦枠側に位置する板部を有し、前記縦枠を上下方向から見たとき、前記板部が前記係合部と前記窓枠用アタッチメントの排水孔との間に位置してもよい。
【０００９】
本発明の第四態様において、前記排水経路は、前記窓枠用アタッチメントのうち内部空間を構成する辺の底面が室外側に向かって下方に傾斜して形成された流路であってもよい。
【００１０】
本発明の第五態様において、前記一対の縦枠が前記壁構成部材の前記開口部に沿って設けられ、前記一対の縦枠の下端面が前記窓枠用アタッチメントに当接していてもよい。
【００１１】
本発明の第六態様において、前記下枠には、前記室外と連通する下枠用排水経路が形成されていてもよい。
【００１２】
本発明の第七態様において、窓枠用アタッチメントは、壁構成部材の開口部と窓枠との間に設置され、前記窓枠用アタッチメントは、前記壁構成部材の内部に埋設されるアンカー部と、前記窓枠と前記窓枠用アタッチメントとの間に入り込んだ水を室外へ排水する排水経路とを備え、前記窓枠用アタッチメントの第一端及び第二端の両端が前記壁構成部材に埋設される。
【００１３】
本発明の第八態様において、窓枠施工方法は、上記の窓枠用アタッチメントを、前記壁構成部材に埋設するアタッチメント埋設工程と、前記壁構成部材に埋設された前記窓枠用アタッチメントの上面に、前記窓枠を構成する下枠を固定する下枠固定工程と、を含んでいる。
【００１４】
本発明の第九態様において、前記壁構成部材がプレキャストコンクリート製のパネルであり、前記アタッチメント埋設工程は、前記パネルを成形する際に、前記窓枠用アタッチメントの前記アンカー部と前記両端とを前記パネル内に埋設させることを含んでいてもよい。
【００１５】
本発明の第十態様において、前記窓枠用アタッチメントが係合部を有し、前記下枠固定工程は、前記係合部に前記下枠を係合させることを含んでいてもよい。
【発明の効果】
【００１６】
本発明に係る壁構造によれば、アタッチメントの下部と、アタッチメントの長手方向の両端とが、壁構成部材に埋設されているため、簡易な構成で室内側への漏水を防ぐことができる。
本発明に係る窓枠用アタッチメントによれば、壁構成部材の内部にアンカー部を埋設させることにより、簡易な構成で室内側への漏水を防ぐことができる。
本発明に係る窓枠施工方法によれば、壁構成部材の内部にアタッチメントのアンカー部及びアタッチメントの両端が埋設させるという簡易な施工により室内側への漏水を防ぐことができる。
【図面の簡単な説明】
【００１７】
【図１】本発明の一実施形態に係るプレキャストコンクリート構造体の一例を示す室外側から見た正面図である。
【図２】図１のＡ−Ａ線断面図である。
【図３】図１の壁構成部材に埋設されたアタッチメントの端を示す斜視図である。
【図４】図１の枠体のうち、アタッチメントの端に縦枠のみを示した説明図である。
【図５】図１のアタッチメントに下枠を取り付けた断面斜視図である。
【図６】本発明の変形例を示す上面図である。
【図７】図６のＢ−Ｂ線断面図である。
【発明を実施するための形態】
【００１８】
本発明の一実施形態に係る壁構造について、図１から図５を参照して説明する。
図１に示すように、壁構造１は、開口部２が形成されたプレキャストコンクリートから構成される壁構成部材（壁部）３と、枠体（窓枠）１０と、アタッチメント２０とを備えている。
壁構成部材３とは、例えばビル等の建物の壁を構成するコンクリートを成型した部材であり、建物の壁を構成できる厚み、高さを有する。
壁構成部材３とは、単独又は複数組み合わされて建造物の外壁を構成する部材を意味する。本開示における一実施形態において、壁構成部材３は工場等で事前に成形されたコンクリート部材であり、建設現場において複数のコンクリート部材が組み合わされて、外壁を構成する。本開示における一実施形態において、壁構成部材３は、施工後、枠体１０を施工するための開口部２を形成するように成形される。
壁構造１は、１つまたは複数の壁構成部材３から構成され、壁構成部材３に形成された開口部２にアタッチメント２０を介して枠体１０を取り付けた構造を意味する。
【００１９】
以下の説明において、室外側と室内側とを結ぶ方向を室内外方向とし、壁構成部材３に取り付けられた枠体１０を室内側から見たときに、上下となる方向を上下方向、左右となる方向を左右方向とする。
【００２０】
図１に示すように、枠体１０は、開口部２に沿って設けられ、上下方向に延びる一対の縦枠１１，１２と、左右方向に延びる上枠１３及び下枠１４とが四方枠状に連結されている。枠体１０の内側には、左右方向にスライド可能に設けられた一対の障子５１，５２が設けられている。
枠体１０において、下枠１４の長手方向の第一端面１４ａが、縦枠１１の外側面１１ａの下部側に当接し、第一端面１４ａと反対側の第二端面１４ｂが、縦枠１２の外側面１２ａの下部側に当接している。また、上枠１３の長手方向の第一端面１３ａが、縦枠１１の外側面１１ａの上部側に当接し、第一端面１３ａと反対側の第二端面１３ｂが、縦枠１２の外側面１２ａの上部側に当接している。すなわち、枠体１０は、縦勝ちタイプで配置されている。
また、本実施形態では、縦枠１１は上下方向を長手方向としており、上下方向における縦枠１１の下端面１１ｂは、アタッチメント２０の当接し、上下方向における縦枠１２の下端面１２ｂは、アタッチメント２０に当接している。
【００２１】
図１に示すように、アタッチメント２０は、開口部２を構成するプレキャストコンクリートの内周面の下辺（底辺）２ａに取り付けられている。アタッチメント２０には、下枠１４が連結されている。
図２に示すように、アタッチメント２０は、断面筒状であり、上段板部２１と、下段板部２２と、室外側の外側板部２３と、室内側の内側板部２４とを有している。
アタッチメント２０の内側には、上段板部２１と、下段板部（辺）２２と、外側板部２３と、内側板部２４とによって、左右方向に延在するホロー（内部空間）Ｓ１が形成されている。ホローＳ１は、アタッチメント２０の延在方向（左右方向）の略全長にわたって形成されている。
【００２２】
上段板部２１は、板状に形成されている。上段板部２１は、板厚方向を上下方向に向けて水平に配置されている。上段板部２１の室外側の端部２１ａには、上側に向かって延び、室外側に向かって突出した第一突出部２１ｂと、下側に向かって延び、室外側に向かって突出した第二突出部２１ｃとが設けられている。第一突出部２１ｂと第二突出部２１ｃとにより、室内側に向かって窪んだ凹部２１ｄが形成されている。凹部２１ｄは、アタッチメント２０の延在方向に沿って形成されている。
上段板部２１の室内側の上面には、上側に向かって突出した第一爪部（係合部）２１ｅが形成され、第一突出部２１ｂの室外側の端面に、上側に向かって突出した第二爪部（係合部）２１ｆが形成されている。第一爪部２１ｅ及び第二爪部２１ｆは、アタッチメント２０の延在方向に沿って設けられている。
第一突出部２１ｂには、下枠１４に向かって突出し、下枠１４を支持するＬ字状のリブ２１ｇが形成されている。
上段板部２１の上側には下枠１４が配置されている。
【００２３】
下段板部２２は、板状に形成されている。下段板部２２は、板厚方向を上下方向に向けて配置されている。下段板部２２は、上段板部２１よりも上下方向の下方側に設けられている。下段板部２２の両端部には、下段板部２２の下面２２ｃから下方に向かって突出した第一片（アンカー部）２２ａ及び第二片（アンカー部）２２ｂが設けられている。第一片２２ａ及び第二片２２ｂ（アタッチメント２０の下部）が、開口部２の下辺２ａより下側の壁構成部材３内に埋設されている。また、図１に示すように、アタッチメント２０の長手方向の両端である第一端２０ａ及び第二端２０ｂが壁構成部材３に埋設されている。
本実施形態において、両端とは、両端面のみならず、各端面から或る長さを有する所定領域を示し、一例において、窓枠の下枠の長さよりも左右方向に貼りだしたアタッチメント部分を両端と称する。
【００２４】
図１に示すように、アタッチメント２０の第一端２０ａは、右側の第一端面２０１を含む一部の領域であり、アタッチメント２０の第二端２０ｂは、左側の第二端面２０２を含む一部の領域である。本実施形態では、アタッチメント２０には、アタッチメント２０の延在方向に下枠１４の延在方向が沿うように、下枠１４が連結されている。縦枠１１，１２は、下枠１４の両端面１４ａ，１４ｂに接触して設けられている。
縦枠１１は、アタッチメント２０の第二端面２０２から間隔をあけた位置に配置されている。縦枠１２は、アタッチメント２０の第一端面２０１から間隔をあけた位置に配置されている。下枠１４の延在方向（左右方向）の寸法をＬ１とし、縦枠１１，１２の幅方向（左右方向）の寸法をＬ２とすると、アタッチメント２０の延在方向（左右方向）の寸法Ｌ３は、下枠の寸法Ｌ１と、縦枠１１の寸法Ｌ２と、縦枠１２の寸法Ｌ２とを合わせた長さより長く形成されている。すなわち、アタッチメント２０の第一端２０ａには、縦枠１２及び下枠１４が載置されていない領域があり、この領域が壁構成部材３の側壁３ａに埋設されている。同様に、アタッチメント２０の第二端２０ｂには、縦枠１１及び下枠１４が載置されていない領域があり、この領域が壁構成部材３の側壁３ａに埋没されている。
【００２５】
図２に示すように、下段板部２２は、室内側から室外側に向かって傾斜している。下段板部２２のホローＳ１側の底面２２ｄは排水経路として機能する。下段板部２２の下面２２ｃは、開口部２の下辺２ａ側の壁構成部材３に接触している。すなわち、壁構成部材３の開口部２の下辺２ａも下段板部２２の傾斜に沿って（室内側から室外側に向かって）傾斜している。
下段板部２２の室外側の下面２２ｃには、壁構成部材３に向かって開口するタッピングホール２６が形成されている。
【００２６】
外側板部２３の上部には、室外方向に向かって突出する突出部２３ａが設けられている。外側板部２３には、排水弁２５が設けられている。ホローＳ１内に浸入した水は、下段板部２２を通って排水弁２５から室外に排出される。
内側板部２４の上部には、ホローＳ１内に開口するタッピングホール２７が形成されている。
【００２７】
図３は、アタッチメント２０の第一端２０ａを示す図である。図３は、アタッチメント２０の構造を見やすくするために、アタッチメント２０及び壁構成部材３のみ示す。
図１に示すように、アタッチメント２０の第一端２０ａの第一端面２０１及び第二端２０ｂの第二端面２０２には、閉塞板（封止部材）３０が設けられている。閉塞板３０は、第一端面２０１及び第二端面２０２を覆うとともにホローＳ１を封止する。
図２及び図３に示すように、閉塞板３０には、ネジ穴（図示略）が形成されて、ネジ穴にネジ３１を挿通し、ネジ３１とタッピングホール２６とを螺合させる。同様に、閉塞板３０に形成されたネジ穴（図示略）にネジ３２を挿通し、ネジ３２とタッピングホール２７とを螺合させる。同様に、アタッチメント２０の第二端２０ｂの端面には、閉塞板３０が設けられている。閉塞板３０により、ホローＳ１を塞いでいる。閉塞板３０は、アタッチメント２０をコンクリート（壁構成部材３）に埋設する前にアタッチメント２０の両端面に取り付けられる。アタッチメント２０に閉塞板３０を取り付けた後に、アタッチメント２０を壁構成部材３に埋設することにより、アタッチメント２０の内部空間（中空部）にコンクリートが流れ込むのを防ぐことができる。
【００２８】
図３に示すように、本実施形態では、アタッチメント２０の延在方向に沿って設けられた第一爪部２１ｅ及び第二爪部２１ｆに下枠１４が取り付けられる。アタッチメント２０の第一端２０ａには、縦枠１２が配置されるため、第一爪部２１ｅ及び第二爪部２１ｆが形成されていない領域がある。すなわち、図４に示すように、この第一爪部２１ｅ及び第二爪部２１ｆが形成されていない領域の上段板部２１上に、上下方向における縦枠１１の下端面１２ｂが当接するように、縦枠１２が載置されている。
図４は、図を分かりやすくするために、アタッチメント２０に縦枠１２が配置された図を示す。
【００２９】
縦枠１２は、略Ｃ字形状である。縦枠１２は、上下方向に延びる第一板部１２１と、第二板部１２２と、第三板部（板部）１２３とを有して構成されている。
第一板部１２１は、室外側の上段板部２１上に配置されるとともにアタッチメント２０の延在方向に沿って設けられている。第二板部１２２は、室内側の上段板部２１上に配置されるとともにアタッチメント２０の延在方向に沿って設けられている。
第三板部１２３は、第一板部１２１と第二板部１２２とを連結している。第三板部１２３は、左右方向に直交する面１２３ａを有し、対向する縦枠１１側に位置している。本実施形態では、第三板部１２３が第一爪部２１ｅの端面２１１及び第二爪部２０ｆの端面２１２に当接するように、縦枠１２が配置されている。第三板部１２３は、必ずしも第一爪部２１ｅの端面２１１及び第二爪部２０ｆの端面２１２に当接していなくてもよい。
【００３０】
アタッチメント２０の第一端２０ａには、室外と連通する排水孔２８が設けられている。排水孔２８は、上段板部２１に、例えば、２つ形成されている。排水孔２８ａ，２８ｂは、アタッチメント２０の延在方向に間隔をあけて配置されている。アタッチメント２０を縦枠１２の上下方向から見たとき、第一爪部２１ｅ及び第二爪部２０ｆと排水孔２８ａとの間に、縦枠１２の第三板部１２３が位置するように、縦枠１２が配置されている。
なお、アタッチメント２０の第一端２０ａについて説明したが、アタッチメント２０の第二端２０ｂも同様の構成を有している。
【００３１】
図２に示すように、下枠１４は、中空形状である。下枠１４は、上段板部４１と、下段板部４２と、室外側の外側板部４３と、中板部４４と、室内側の内側板部４５とを有している。中板部４４により、左右方向に延在する下枠１４の内部空間が、第一ホローＳ１と第二ホローＳ２とに分割されている。
第一ホローＳ２は室外側に形成され、第二ホローＳ３は室内側に形成され、第一ホローＳ２と第二ホローＳ３とは隣接して形成されている。第一ホローＳ２及び第二ホローＳ３は、アタッチメント２０の延在方向（左右方向）の略全長にわたって形成されている。
【００３２】
上段板部４１は、板状に形成されている。上段板部４１は、板厚方向を上下方向に向けて水平に配置されている。上段板部４１の上面４１ａには、内障子５１を左右方向に走行自在に支持する下枠内レール４１ｂと、外障子５２を左右方向に走行自在に支持する下枠外レール４１ｃとが設けられている。
上段板部４１には、上面４１ａに溜まった水を排水する複数の排水孔（枠体用排水孔）４６が形成されている。排水孔４６は、室外と連通し、下枠内レール４１ｂと下枠外レール４１ｃとの間に形成されている。
【００３３】
下段板部４２は、板状に形成されている。下段板部４２は、板厚方向を上下方向に向けて配置されている。下段板部４２は、上段板部２１よりも上下方向の下方側に設けられている。下段板部２２の室外側の端部には、アタッチメント２０に向かって開口するタッピングホール４７と、タッピングホール４７から室外方向に向かって突出し、下方に折れ曲がり、室内側に突出するＣ字状の折り返し部４８とが形成されている。タッピングホール４７は、アタッチメント２０のリブ２１ｇ上に載置されている。下枠１４は、リブ２１ｇにより支持されている。
下段板部（枠体用排水経路）４２は、室内側から室外側に向かって傾斜している。これにより、下段板部４２は排水経路として機能する。
【００３４】
外側板部４３の下部には、排水弁４９が設けられている。第一ホローＳ２内に浸入した水は、下段板部４２を通って排水弁４９から室外に排出される。
【００３５】
下枠１４は、内側板部４５の下側の端部から壁構成部材３の開口部２の下辺２ａに向かって延在する第一延在部４５ａと、第一延在部４５ａから室外側に向かって屈曲した第二延在部４５ｂとを有している。図２に示すように、第一延在部４５ａは、アタッチメント２０よりも室内側に延在しているため、第二延在部４５ｂと、アタッチメント２０の内側板部２４とにより段部が形成される。
【００３６】
第二延在部４５ｂが、第一爪部２１ｅに係合し、折り返し部４８が、アタッチメント２０の第二爪部２１ｆに係合することにより、下枠１４とアタッチメント２０とが係合される。
下枠１４の下段板部４２と、折り返し部４８と、第一延在部４５ａと、第二延在部４５ｂと、アタッチメントの上段板部２１とによってホローＳ４が形成される。
【００３７】
図５に示すように、凹部２１ｄには、アタッチメント２０の延在方向に沿ってバッカー材６１が配置されている。下枠１４の折り返し部４８の底部と突出部２３ａとの間には、シール材６２が配置されている。シール材６２は、露出したバッカー材６１を覆うように、アタッチメント２０の延在方向に沿って配置されている。これにより、室外側において、アタッチメント２０と下枠１４との境界部分から水が浸入するのを防ぐことが可能となる。
図２に示すように、第二延在部４５ｂとアタッチメント２０の内側板部２４とにより形成された段部と、壁構成部材３の開口部２の下辺２ａとの間にはシール材６３が配置されている。これにより、室内側において、アタッチメント２０と下枠１４との境界部分から水が浸入するのを防ぐことが可能となる。
【００３８】
本実施形態に係る窓枠施工方法について説明する。
本実施形態では、壁構成部材３がプレキャストコンクリート製のパネルである。
まず、壁構成部材３を成形する際に、アタッチメント２０の両端面２０１，２０２を閉塞板３０で塞ぎ、アタッチメント２０の第一片２２ａ及び第二片２２ｂと両端２０ａ，２０ｂとを壁構成部材３内に埋設させる（アタッチメント埋設工程）。壁構成部材３にアタッチメント２０を埋設させた後、アタッチメント２０の上面に、枠体１０を構成する下枠１４を固定する（下枠固定工程）。下枠１４は、アタッチメント２０の第一爪部２０ｅ及び第二爪部２０ｆに係合して固定される。
【００３９】
本実施形態の壁構造１では、アタッチメント２０の第一片２２ａ及び第二片２２ｂ（アタッチメント２０の下部）と、アタッチメント２０の第一端２０ａ及び第二端２０ｂとが壁構成部材に埋設されているため、アタッチメント２０の下部及び第一端２０ａ，第二端２０ｂからアタッチメント２０内に水が浸入するのを防ぐことができる。さらに、シール材６２及びシール材６３が経年変化により劣化して、シール材６２及びシール材６３に亀裂が生じた場合、折り返し部４８と第二爪部２１ｆとの隙間や第二延在部４５ｂと第一爪部２１ｅとの隙間から水がホローＳ４に浸入する。ホローＳ４に浸入した水は、上段板部２１に設けられた排水孔２８ａ，２８ｂを通ってホローＳ１に浸入し、下段板部２２を通って流れて、排水弁２５から室外に排出させることができる。すなわち、シール材６２及びシール材６３に亀裂が生じても、室内に水が流れ込むことを抑えることができる。
【００４０】
本実施形態では、アタッチメント２０の第一端２０ａの第一端面２０１及び第二端２０ｂの第二端面２０２に閉塞板３０が設けられているため、製作時にアタッチメント２０のホローＳ１内にコンクリートが入り込むのを防ぐことができる。
【００４１】
本実施形態では、上枠１３のシール材が劣化し、上枠１３から水が浸入したとしても、水は、縦枠１１，１２を通って、アタッチメント２０に設けられた排水孔２８ａから室外に効率よく排出される。
【００４２】
本実施形態では、排水経路は、アタッチメントの下面である下段板部２２が室外の下方に向かって傾斜して形成された流路であるため、アタッチメント２０内に浸入した水は、傾斜した下段板部２２を通って室外に排出される。
【００４３】
本実施形態では、縦枠１１，１２の下端面１１ｂ，１２ｂがアタッチメント２０に当接しているため、室内側に水が浸入しにくい。また、縦枠１１，１２に水が浸入しても排水孔２８ａを通じて水を室外に排出しやすい。
【００４４】
本実施形態では、下枠１４に浸入した水は、排水孔４６及び下段板部４２から室外に排出される。アタッチメント２０に設けられた排水孔２８ａ，２８ｂ及び下段板部２２に加えて、排水孔４６及び下段板部４２が設けられているため、浸入した水を効率良く室外へ排出させることができる。
また、縦枠１１、１２を上下方向から見たとき、第三板部１２３がアタッチメント２０の第一爪部２０ｅ及び第二爪部２０ｆと窓枠用アタッチメント２０の排水孔２８ａとの間に位置する。これにより、上枠１３のシール材が劣化し、上枠１３から水が浸入したとしても、水は、縦枠１１，１２を通って、アタッチメント２０に設けられた排水孔２８ａから室外に効率よく排出される。
【００４５】
なお、本実施形態では、第一端２０ａの端面には、閉塞板３０を設けたが必ずしも設けていなくてもよい。
アタッチメント２０を縦枠１２の延在方向から見たとき、第一爪部２１ｅ及び第二爪部２０ｆと排水孔２８ａとの間に、縦枠１２の第三板部１２３が位置するように、縦枠１２が配置されているとしたが、必ずしも第一爪部２１ｅ及び第二爪部２０ｆと排水孔２８ａとの間になくてもよい。すなわち、排水孔２８ａを設けず、排水孔２８ｂだけであってもよく、あるいは、少なくとも排水孔２８ａの一部が、縦枠１２の第三板部１２３より壁構成部材３の縦辺側に配置されている、すなわち、排水孔２８ａを跨ぐように縦枠１２の第三板部１２３が配置されていてもよい。
下段板部２２は室内側から室外側に向かって傾斜した構成としたが、必ずしも傾斜していなくてもよい。
本実施形態では、アタッチメント２０の端の上面に、縦枠１１、１２の下端面が当接する縦勝ちタイプの枠体について説明したが、アタッチメント２０上には下枠のみが載置され、下枠の端部の上面に縦枠１１，１２の下端面が当接する横勝ちタイプの枠体であってもよい。
排水孔２８は必ずしも設けられていなくてもよく、また下段板部４２は、必ずしも傾斜していなくてもよい。
【００４６】
［変形例］
次に、本発明の変形例に係る壁構造について、図６及び図７を用いて説明する。
下記に示す変形例の説明において、前述した部材と同一の部材には同一の符号を付して、その説明を省略する。
【００４７】
上記実施形態では、枠体１０の内側に、左右方向にスライド可能に設けられた一対の障子５１，５２が設けられている壁構造１について説明したが、図６に示すように、本変形例の壁構造７０は、枠体７１に固定されたコーナー窓７２である。
【００４８】
コーナー窓７２は、第一窓部７３と、第二窓部７４とを有している。シール材７５を介して第一窓部７３の端７３ａを第二窓部７４の端７４ａに押し当てることにより、第一窓部７３と、第二窓部７４とを連結している。
【００４９】
上述した実施形態と本変形例とでは、コーナー部分の断面が異なるため、コーナー部分の断面構造を図７を用いて説明する。
アタッチメント（窓枠用アタッチメント）８０のコーナー部分Ｃは、斜め４５°に切断されている。切断されたアタッチメント８０の端同士を突き合わせて９０°のコーナー部分Ｃを形成する。
上段板部８１には、ホローＳ１に向かって窪む凹部８２が形成されている。凹部８２には、ネジ穴（図示略）が形成されている。上段板部８１の、凹部８２が形成されている部分の裏面８１ａ側に裏板８３が設けてられている。コーナー部分Ｃにおいて、突き合せたアタッチメント８０を跨ぐように裏板８３が配置されている。裏板８３は、ネジ８４によりアタッチメント８０同士を結合する。また、下段板部２２の下面２２ｃには、キャップ部材８５が設けられている。キャップ部材８５により、コーナー部Ｃにおけるアタッチメント８０同士を連結する。これらにより、アタッチメント８０間から水が浸入するのを防ぐことができる。
排水孔２８ａ，２８ｂは、凹部８２に形成されている。
【００５０】
本変形例に係る壁構造７０によれば、コーナー窓を有する場合においても、上記実施形態と同様に、アタッチメント８０の下部及び両が壁構成部材３に埋設されているため、アタッチメント８０の下部及び両端からアタッチメント８０内に水が浸入するのを防ぐことができる。
【００５１】
なお、本発明の趣旨を逸脱しない範囲で、上記した実施形態における構成要素を周知の構成要素に置き換えることは適宜可能である。
また、本発明は前述した説明によって限定されることはなく、添付の請求の範囲によってのみ限定される。
【産業上の利用可能性】
【００５２】
本発明に係る壁構造によれば、アタッチメントの下部と、アタッチメントの長手方向の両端とが、壁構成部材に埋設されているため、簡易な構成で室内側への漏水を防ぐことができる。
本発明に係る窓枠用アタッチメントによれば、壁構成部材の内部にアンカー部を埋設させることにより、簡易な構成で室内側への漏水を防ぐことができる。
本発明に係る窓枠施工方法によれば、壁構成部材の内部にアンカー部及びアタッチメントの両端が埋設させるだけで室内側への漏水を防ぐことができる。
【符号の説明】
【００５３】
１，７０…壁構造
２…開口部
３…壁構成部材
１０…枠体（窓枠）
１１，１２…一対の縦枠
１３…上枠
１４…下枠
２０，８０…アタッチメント（窓枠用アタッチメント）
２０ａ…第一端
２０ｂ…第二端
２２…下段板部（排水経路）
２８ａ，２８ｂ…排水孔
１２３  第三板部（板部）
【図１】
2020041386.tif 000003
【図２】
2020041386.tif 000004
【図３】
2020041386.tif 000005
【図４】
2020041386.tif 000006
【図５】
2020041386.tif 000007
【図６】
2020041386.tif 000008
【図７】
2020041386.tif 000009